(57)【特許請求の範囲】
【請求項１】
回路遮断器の開閉操作ハンドルを操作する電動操作装置において、
前記回路遮断器が電圧引外し装置または不足電圧引外し装置によってトリップされた場合と前記電動操作装置の手動トリップボタンによってトリップされた場合は前記回路遮断器を自動的にリセットし、前記回路遮断器が過電流引外しによってトリップされた場合は前記回路遮断器を自動的にリセットしないことを特徴とする、回路遮断器の電動操作装置。
【請求項２】
回路遮断器の開閉操作ハンドルを操作する電動操作装置において、
第１〜第３のリセットモードのうちのいずれかのリセットモードを選択する選択手段と、
前記第１のリセットモードが選択された場合は、前記回路遮断器がトリップしても前記回路遮断器をリセットせず、前記第２のリセットモードが選択された場合は、前記回路遮断器がトリップしたときは常に前記回路遮断器をリセットし、前記第３のリセットモードが選択された場合は、前記回路遮断器が電圧引外し装置または不足電圧引外し装置によってトリップされたときと前記電動操作装置の手動トリップボタンによってトリップされたときは前記回路遮断器をリセットし、前記回路遮断器が過電流引外しによってトリップされたときは前記回路遮断器をリセットしない制御手段とを備えたことを特徴とする、回路遮断器の電動操作装置。
【請求項３】
回路遮断器の開閉操作ハンドルを操作する電動操作装置において、
直線的にスライド運動して前記開閉操作ハンドルを操作する操作板と、
放勢されたときに前記操作板をＯＮ方向にスライドさせる投入ばねと、
前記操作板をＯＦＦ方向にスライドさせると同時に蓄勢ギヤを介して前記投入ばねを蓄勢する電動機と、
蓄勢された状態で前記投入ばねを保持する投入ばねラッチ機構と、
前記投入ばねラッチ機構の係合を釈放して前記投入ばねを放勢するラッチ釈放電磁石と、
前記遮断器本体の機械的トリップボタンを操作する手動トリップボタンと、
前記投入ばねが蓄勢状態か放勢状態かを検出するための第１の検出器と、
前記回路遮断器がトリップ状態であるか否かを検出するための第２の検出器と、
前記手動トリップボタンが押されているか否かを検出するための第３の検出器と、
前記第１〜第３の検出器の検出結果と、遠隔ＯＮスイッチからの信号と、遠隔ＯＦＦスイッチからの信号と、前記回路遮断器に内蔵された電圧引外し装置または不足電圧引外し装置からの信号とに基づき、前記電動機および前記ラッチ釈放電磁石を制御する制御回路とを備え、
前記制御回路は、
前記遠隔ＯＮスイッチからの信号によってＯＮ動作が指令された場合は、前記ラッチ釈放電磁石を駆動させて前記投入ばねを放勢し、
前記遠隔ＯＦＦスイッチからの信号によってＯＦＦ動作が指令された場合は、前記電動機を駆動させて前記投入ばねを蓄勢し、
前記回路遮断器が前記電圧引外し装置または前記不足電圧引外し装置によってトリップされた場合と前記手動トリップボタンによってトリップされた場合は前記電動機を駆動させて前記回路遮断器をリセットし、前記回路遮断器が過電流引外しによってトリップされた場合は前記回路遮断器をリセットしないことを特徴とする、回路遮断器の電動操作装置。
【請求項４】
さらに、第１〜第３のリセットモードのうちのいずれかのリセットモードを設定するための動作モード設定スイッチを備え、
前記制御回路は、さらに前記動作モード設定スイッチの設定結果に基づいて前記電動機および前記ラッチ釈放電磁石を制御し、
前記制御回路は、
前記第１のリセットモードが設定された場合は、前記回路遮断器がトリップしても前記回路遮断器をリセットせず、
前記第２のリセットモードが設定された場合は、前記回路遮断器がトリップしたときは常に前記電動機を駆動させて前記回路遮断器をリセットし、
前記第３のリセットモードが設定された場合は、前記回路遮断器が前記電圧引外し装置または前記不足電圧引外し装置によってトリップされたときと前記手動トリップボタンによってトリップされたときは前記電動機を駆動させて前記回路遮断器をリセットし、前記回路遮断器が過電流引外しによってトリップされたときは前記回路遮断器をリセットしないことを特徴とする、請求項３に記載の回路遮断器の電動操作装置。
【請求項５】
前記第１の検出器は、前記投入ばねが蓄勢状態か放勢状態かを検出するために前記蓄勢ギアの回転位置を検出し、
前記第２の検出器は、前記回路遮断器がトリップ状態であるか否かを検出するために前記操作板の位置を検出し、
前記第３の検出器は、前記手動トリップボタンが押されているか否かを検出するために前記手動トリップボタンの位置を検出することを特徴とする、請求項３または請求項４に記載の回路遮断器の電動操作装置。
【発明の詳細な説明】
【技術分野】
【０００１】
この発明は回路遮断器の電動操作装置に関し、特に、回路遮断器の開閉操作ハンドルを操作する電動操作装置に関する。
【背景技術】
【０００２】
図５は回路遮断器３０と電動操作装置４０の内部とを示す側面図であり、図６は電動操作装置４０の内部を示す平面図であり、図７は電動操作装置４０の外観を示す平面図である。このような電動操作装置４０は、たとえば特許文献１に開示されている。
【０００３】
図５において、回路遮断器３０には、開閉操作ハンドル３１を操作することによって開閉機構を介して開閉接触子が接触および開離したＯＮおよびＯＦＦ状態と、トリップ動作によって内蔵する遮断器ラッチ機構が釈放して開閉機構を介して開閉接触子が開離したトリップ状態がある。開閉操作ハンドル３１は、回転移動可能に設けられており、ＯＮ状態では一方端部に位置し、ＯＦＦ状態では他方端部に位置し、トリップ状態ではＯＮ状態とＯＦＦ状態の中間に位置する。トリップした回路遮断器３０をＯＮにするには、開閉操作ハンドル３１をＯＦＦ状態の位置まで移動させて、釈放した遮断器ラッチ機構をリセットする操作が必要である。
【０００４】
回路遮断器３０のトリップ動作の種類には、遮断器３０に過電流が流れたとき遮断器３０をトリップさせる過電流引外し、選択的に内蔵される電圧引外し装置の電磁石に電圧を印加してトリップさせる電圧引外し、選択的に内蔵される不足電圧引外し装置の電磁石に印加している電圧を低下させて（又は電圧が低下したとき）トリップさせる不足電圧引外し、および遮断器ラッチ機構を機械的に釈放する機械的トリップボタンによる引外しがある。なお、回路遮断器３０には、トリップしたことを電気的に検知するために遮断器ラッチ機構の動作によって動作する警報スイッチが内蔵されることがある。
【０００５】
電動操作装置４０は、遠隔操作によって回路遮断器３０の開閉操作ハンドル３１を操作するものであり、回路遮断器３０の表面に取り付けられる。この電動操作装置４０は、図中左右方向に直線的にスライド運動して開閉操作ハンドル３１を操作する操作板４１と、放勢されたとき操作板４１をＯＮ方向にスライドさせる投入ばね４２と、操作板４１をＯＦＦ方向にスライドさせると同時にギヤ４３〜４６を介して投入ばね４２を蓄勢する電動機４７と、蓄勢された状態で投入ばね４２を保持するラッチレバー４８，４９およびカム５０を含む投入ばねラッチ機構と、投入ばねラッチ機構の係合を釈放して投入ばね４２を放勢するラッチ釈放電磁石５１を有する。
【０００６】
電動操作装置４０の表面には、機械的に投入ばねラッチ機構を釈放させる手動ＯＮボタン５２、遮断器３０本体の機械的トリップボタンを操作する手動トリップボタン５３、回路遮断器３０がＯＮ状態（Ｉ）であるかＯＦＦ状態（○）であるかトリップ状態（△）であるかを示すインジケータ５４などが設けられている。ＯＦＦ指令とＯＮ指令は、離れた場所にそれぞれ遠隔ＯＦＦスイッチと遠隔ＯＮスイッチを設けることによって遠隔操作が可能である。
【０００７】
遠隔ＯＮスイッチを閉じてラッチ釈放電磁石５１を励磁させると、ラッチレバー４８，４９およびカム５０の係合が解消してカム５０が反時計方向に回転し、投入ばね４２が放勢して操作板４１がＯＮ方向に移動し、回路遮断器３０がＯＮ状態になる。
【０００８】
また、遠隔ＯＦＦスイッチを閉じて電動機４７を回転駆動させると、ギア４３〜４６を介してカム５０が反時計方向に回転し、投入ばね４２が蓄勢されて操作板４１がＯＦＦ方向に移動し、回路遮断器３０がＯＦＦ状態になる。
【０００９】
また、トリップした回路遮断器３０をリセットするときは、遠隔ＯＦＦスイッチを閉じて電動機４７を回転させると、操作板４１がＯＦＦ方向に移動して回路遮断器３０がリセット状態（ＯＦＦ状態）になる。あるいは、着脱自在に装着される図５の手動蓄勢ハンドル５５を回すことによって投入ばね４２を蓄勢させるとともに回路遮断器３０をリセットさせることもできる。
【特許文献１】特開２００４−１５２６８９号公報
【発明の開示】
【発明が解決しようとする課題】
【００１０】
このような電動操作装置４０には、回路遮断器３０がトリップしたとき直ぐにＯＮ動作できるように、自動的にリセット動作できるような自動リセット機能を持たせると便利である。従来の自動リセット機能は、警報スイッチを遠隔ＯＦＦスイッチに並列接続することによって実現していた。すなわち、遮断器３０がトリップしたとき警報スイッチがＯＮになって電動機４７が回転し、操作板４１がＯＦＦ方向、すなわちリセット方向へスライドしてリセットする構成であった。
【００１１】
このように従来の電動操作装置４０にあっては、自動リセットのために警報スイッチを使用する必要があるため、遮断器３０内部から警報スイッチの配線を取り出して電動操作装置４０に接続するという特別の配線が必要であり、又、警報スイッチを他の目的のために使用できないという問題があった。
【００１２】
また、過電流引外しによって遮断器３０がトリップしたときは、過電流の原因を調べてから遮断器３０をリセットしＯＮすることが好ましいが、従来の電動操作装置４０にあっては、トリップの種類にかかわらず自動リセットする構成のものであった。
【００１３】
それゆえに、この発明の主たる目的は、遮断器のトリップが過電流によるものか否かを識別できるとともに、自動リセットのために警報スイッチを必要としない回路遮断器の電動操作装置を提供することである。
【課題を解決するための手段】
【００１４】
この発明に係る回路遮断器の電動操作装置は、回路遮断器の開閉操作ハンドルを操作する電動操作装置において、回路遮断器が電圧引外し装置または不足電圧引外し装置によってトリップされた場合と電動操作装置の手動トリップボタンによってトリップされた場合は回路遮断器を自動的にリセットし、回路遮断器が過電流引外しによってトリップされた場合は回路遮断器を自動的にリセットしないことを特徴とするものである。
【００１５】
また、この発明に係る他の回路遮断器の電動操作装置は、回路遮断器の開閉操作ハンドルを操作する電動操作装置において、第１〜第３のリセットモードのうちのいずれかのリセットモードを選択する選択手段と、第１のリセットモードが選択された場合は、回路遮断器がトリップしても回路遮断器をリセットせず、第２のリセットモードが選択された場合は、回路遮断器がトリップしたときは常に回路遮断器をリセットし、第３のリセットモードが選択された場合は、回路遮断器が電圧引外し装置または不足電圧引外し装置によってトリップされたときと電動操作装置の手動トリップボタンによってトリップされたときは回路遮断器をリセットし、回路遮断器が過電流引外しによってトリップされたときは回路遮断器をリセットしない制御手段とを備えたことを特徴とするものである。
【００１６】
また、この発明に係るさらに他の回路遮断器の電動操作装置は、回路遮断器の開閉操作ハンドルを操作する電動操作装置において、直線的にスライド運動して開閉操作ハンドルを操作する操作板と、放勢されたときに操作板をＯＮ方向にスライドさせる投入ばねと、操作板をＯＦＦ方向にスライドさせると同時に蓄勢ギヤを介して投入ばねを蓄勢する電動機と、蓄勢された状態で投入ばねを保持する投入ばねラッチ機構と、投入ばねラッチ機構の係合を釈放して投入ばねを放勢するラッチ釈放電磁石と、遮断器本体の機械的トリップボタンを操作する手動トリップボタンと、投入ばねが蓄勢状態か放勢状態かを検出するための第１の検出器と、回路遮断器がトリップ状態であるか否かを検出するための第２の検出器と、手動トリップボタンが押されているか否かを検出するための第３の検出器と、第１〜第３の検出器の検出結果と、遠隔ＯＮスイッチからの信号と、遠隔ＯＦＦスイッチからの信号と、回路遮断器に内蔵された電圧引外し装置または不足電圧引外し装置からの信号とに基づき、電動機およびラッチ釈放電磁石を制御する制御回路とを備えたものである。ここで、制御回路は、遠隔ＯＮスイッチからの信号によってＯＮ動作が指令された場合は、ラッチ釈放電磁石を駆動させて投入ばねを放勢し、遠隔ＯＦＦスイッチからの信号によってＯＦＦ動作が指令された場合は、電動機を駆動させて投入ばねを蓄勢し、回路遮断器が電圧引外し装置または不足電圧引外し装置によってトリップされた場合と手動トリップボタンによってトリップされた場合は電動機を駆動させて回路遮断器をリセットし、回路遮断器が過電流引外しによってトリップされた場合は回路遮断器をリセットしないことを特徴とする。
【００１７】
好ましくは、さらに、第１〜第３のリセットモードのうちのいずれかのリセットモードを設定するための動作モード設定スイッチが設けられる。制御回路は、さらに動作モード設定スイッチの設定結果に基づいて電動機およびラッチ釈放電磁石を制御する。制御回路は、第１のリセットモードが設定された場合は、回路遮断器がトリップしても回路遮断器をリセットせず、第２のリセットモードが設定された場合は、回路遮断器がトリップしたときは常に電動機を駆動させて回路遮断器をリセットし、第３のリセットモードが設定された場合は、回路遮断器が電圧引外し装置または不足電圧引外し装置によってトリップされたときと手動トリップボタンによってトリップされたときは電動機を駆動させて回路遮断器をリセットし、回路遮断器が過電流引外しによってトリップされたときは回路遮断器をリセットしない。
【００１８】
また好ましくは、第１の検出器は、投入ばねが蓄勢状態か放勢状態かを検出するために蓄勢ギアの回転位置を検出し、第２の検出器は、回路遮断器がトリップ状態であるか否かを検出するために操作板の位置を検出し、第３の検出器は、手動トリップボタンが押されているか否かを検出するために手動トリップボタンの位置を検出する。
【発明の効果】
【００１９】
この発明に係る回路遮断器の電動操作装置では、回路遮断器が過電流引外しによってトリップされた場合は回路遮断器を自動的にリセットせず、それ以外の原因でトリップされた場合は回路遮断器を自動的にリセットする。したがって、回路遮断器が自動リセットされているか否かに基づいて、トリップが過電流によるものか否かを識別することができる。また、警報スイッチを用いることなく自動リセットを行なうことができる。
【発明を実施するための最良の形態】
【００２０】
図１は、この発明の一実施の形態による回路遮断器の電動操作装置１の自動リセット機能に関連する部分を示すブロック図である。電動操作装置１の自動リセット機能以外の機能に関連する部分の構成および動作は、図５〜図７で示したばね蓄勢型電動操作装置と同じである。
【００２１】
図１において、この電動操作装置１は、図５〜図７で示した電動機４７、ラッチ釈放電磁石５１などの他に、ギア位置検出器２、操作板位置検出器３、手動トリップ検出器４、動作モード設定スイッチ５、制御回路６および駆動回路７，８を備えており、電圧引外し装置１０が内蔵された回路遮断器に取り付けられ、遠隔ＯＮスイッチ１１および遠隔ＯＦＦスイッチ１２に接続されている。
【００２２】
ギア位置検出器２は、たとえば光スイッチで構成され、蓄勢ギヤ４６の回転位置を検出し、検出結果を示す信号φ２を制御回路６に与える。制御回路６は、信号φ２に基づいて、投入ばね４２が蓄勢状態か放勢状態かを判別する。
【００２３】
操作板位置検出器３は、たとえば光スイッチで構成され、操作板４１の位置を検出し、検出結果を示す信号φ３を制御回路６に与える。制御回路６は、信号φ３に基づいて、回路遮断器３０がトリップ状態であるか否かを判定する。
【００２４】
手動トリップ検出器４は、手動トリップボタン５３の位置を検出し、検出結果を示す信号φ４を制御回路６に与える。制御回路６は、信号φ４に基づいて、手動トリップボタン５３が押されているか否かを判定する。
【００２５】
この電動操作装置１には、自動リセット動作に関して第１〜第３のモードが設けられており、動作モード設定スイッチ５によって第１〜第３のモードのうちの所望のモードを選択することが可能になっている。第１のモードは、回路遮断器３０がトリップしたときは、トリップの種類にかかわらず、自動リセット動作を行なわないモードである。このモードに設定されているときは、遠隔ＯＦＦスイッチ１２をＯＮにすることによりリセット操作を行うことができる。
【００２６】
第２のモードは、回路遮断器３０がトリップしたときは、トリップの種類にかかわらず、自動リセット動作を行なうモードである。第３のモードは、回路遮断器３０が過電流引外しによってトリップしたときのみ、自動リセット動作を行なわないモードである。この第３のモードでは、トリップ後に自動リセットされたかどうかを見ることにより、回路遮断器３０が過電流引外しによってトリップしたか否かを判別することが可能である。
【００２７】
また、この電動操作装置１には電動動作を禁止する第４のモードも設けられており、動作モード設定スイッチ５によって第４のモードを選択することも可能である。動作モード設定スイッチ５は、設定されたモードを示す２ビットのモード設定信号φ５を制御回路６に与える。
【００２８】
電圧引外し装置１０は、電圧引外しによって回路遮断器３０をトリップしたことに応じて電圧引外し信号φ１０を制御回路６に与える。遠隔ＯＮスイッチ１１は、スイッチがＯＮされたことに応じて遠隔ＯＮ指令信号φ１１を制御回路６に与える。遠隔ＯＦＦスイッチ１２は、スイッチがＯＮされたことに応じて遠隔ＯＦＦ指令信号φ１２を制御回路６に与える。
【００２９】
制御回路６は、検出器２〜４、スイッチ５、電圧引外し装置１０、およびスイッチ１１，１２からの信号φ２〜φ５，φ１０〜１２に基づいて駆動回路７，８を介して電動機４７およびラッチ釈放電磁石５１を制御し、ＯＮ動作、ＯＦＦ動作、自動リセット動作を行なう。
【００３０】
図２は、制御回路６のＯＮ動作を示すフローチャートである。図２において、回路遮断器３０は、ＯＦＦ状態にされているものとする。ステップＳ１において制御回路６は、遠隔ＯＮスイッチ１１からＯＮ指令信号φ１１を受信する。ステップＳ２において動作モード設定スイッチ５からの信号φ５に基づいて第１〜第４のモードのうちのいずれのモードが設定されているかチェックし、第４のモードが設定されている場合はステップＳ３においてＯＮ動作を中止し、第１、第２または第３のモードが設定されている場合はステップＳ４に進む。
【００３１】
ステップＳ４において制御回路６は、ギア位置検出器２からの信号φ２に基づいて投入ばね４２が蓄勢状態にあるか否かを判別し、蓄勢状態でない場合は既にＯＮ状態になっているのでステップＳ３においてＯＮ動作を停止し、蓄勢状態である場合はステップＳ５において駆動回路８を介してラッチ釈放電磁石５１を励磁し、投入ばね４２を放勢させて回路遮断器３０をＯＮ状態にする。
【００３２】
ステップＳ６において制御回路６は、ギア位置検出器２からの信号φ２に基づいて投入ばね４２が放勢状態にあるか否かを判別し、放勢状態でない場合はステップＳ２に戻り、放勢状態である場合はＯＮ動作を終了する。
【００３３】
図３は、制御回路６のＯＦＦ動作を示すフローチャートである。図３において、回路遮断器３０は、ＯＮ状態にされているものとする。ステップＳ１１において制御回路６は、遠隔ＯＦＦスイッチ１２からＯＦＦ指令信号φ１２を受信する。ステップＳ１２において動作モード設定スイッチ５からの信号φ５に基づいて第１〜第４のモードのうちのいずれのモードが設定されているかチェックし、第４のモードが設定されている場合はステップＳ１３においてＯＦＦ動作を中止し、第１、第２または第３のモードが設定されている場合はステップＳ１４に進む。
【００３４】
ステップＳ１４において制御回路６は、ギア位置検出器２からの信号φ２に基づいて投入ばね４２が放勢状態にあるか否かを判別し、放勢状態でない場合は既にＯＦＦ状態になっているのでステップＳ１３においてＯＦＦ動作を停止し、放勢状態である場合はステップＳ１５において駆動回路７を介して電動機４７を回転駆動させ、投入ばね４２を蓄勢させて回路遮断器３０をＯＦＦ状態にする。
【００３５】
制御回路６は、ステップＳ１６において内蔵のタイマをＯＮし、ステップＳ１７においてギア位置検出器２からの信号φ２に基づいて投入ばね４２が蓄勢状態にあるか否かを判別し、蓄勢状態である場合はＯＦＦ動作を終了し、蓄勢状態でない場合はステップＳ１５に戻って電動機４７のＯＮを継続する。制御回路６は、タイマの計測時間が所定時間を経過した場合すなわち電動機４７のＯＮ時間が所定時間を経過した場合は、装置が異常であると判断して電動機４７を駆動停止させるとともに、ステップＳ１８においてアラーム信号を出力する。アラーム信号に応答して音や光を発生する警報装置を設けてもよい。
【００３６】
図４は、制御回路６の自動リセット動作を示すフローチャートである。図４において、ステップＳ２１において制御回路６は、操作板位置検出器３からの信号φ３に基づいて回路遮断器３０がトリップしたか否かを判別し、トリップしていない場合はステップＳ２２において自動リセットを行なわず、トリップした場合はステップＳ２３に進む。
【００３７】
ステップＳ２３において制御回路６は、動作モード設定スイッチ５からの信号φ５に基づいて第１〜第４のモードのうちのいずれのモードが設定されているかチェックし、第１および第４のモードが設定されている場合はステップＳ２４においてトリップの種類にかかわらず自動リセット動作を行なわず、第２のモードが設定されている場合はステップＳ２５に進み、第３のモードが設定されている場合はステップＳ２９に進む。なお、第４のモードが設定されている場合は、図５で示した手動蓄勢ハンドル５５によってリセットする。
【００３８】
ステップＳ２５において制御回路６は、手動トリップ検出器４からの信号φ４に基づいて手動トリップボタン５３が押されている状態（ＯＮ）が継続しているか否かを判別し、ボタン５３が押されている状態が継続している場合はステップＳ２６においてリセット動作を行なわず、ボタン５３が押されている状態が継続していない場合はステップＳ２７に進む。ステップＳ２６においてリセット動作を行なわないのは、手動トリップボタン５３が押し続けられたままの状態で自動リセット操作を行うと、リセットとトリップを繰り返すので、この動作を防止するためである。
【００３９】
ステップＳ２７において制御回路６は、駆動回路８を介してラッチ釈放電磁石５１を励磁する。これは、ＯＦＦ状態で手動トリップボタン５３によってトリップさせたときは、投入ばね４２が蓄勢されたままの状態であるので、一旦ラッチ釈放電磁石５１を励磁して、投入ばね４２を放勢させるためである。ステップＳ２８において制御回路６は、図３で示したＯＦＦ動作のステップＳ１４〜Ｓ１８を実行する。このようにして第２のモードでは、回路遮断器３０がトリップした場合は、トリップの種類にかかわらず自動リセットが行なわれる。
【００４０】
ステップＳ２９において制御回路６は、手動トリップ検出器４からの信号φ４に基づいて手動トリップボタン５３が押された（ＯＮされた）後に離された（ＯＦＦされた）か否かを判別し、ボタン５３が押された後に離されていない場合、すなわちボタン５３が押された状態が継続している場合はステップＳ３０においてリセット動作を行なわず、ボタン５３が押された後に離された（ＯＮ→ＯＦＦ）場合はステップＳ３１に進む。
【００４１】
ステップＳ３１において制御回路６は、駆動回路８を介してラッチ釈放電磁石５１を励磁し、投入ばね４２を放勢させる。ステップＳ３２において制御回路６は、図３で示したＯＦＦ動作のステップＳ１４〜Ｓ１８を実行する。このようにして第３のモードでは、手動トリップボタン５３によって回路遮断器３０がトリップされた場合は、自動リセットが行なわれる。
【００４２】
ステップＳ３３において制御回路６は、電圧引外し装置１０からの信号φ１０に基づいてトリップが電圧引外しによるものか否かを判別し、電圧引外しによるものでない場合はステップＳ３４においてリセット動作を行なわず、電圧引外しによるものである場合はステップＳ３５に進む。
【００４３】
ステップＳ３５において制御回路６は、駆動回路８を介してラッチ釈放電磁石５１を励磁し、投入ばね４２を放勢させる。ステップＳ３６において制御回路６は、図３で示したＯＦＦ動作のステップＳ１４〜Ｓ１８を実行する。このようにして第３のモードでは、電圧引外し装置１０によって回路遮断器３０がトリップされた場合も、自動リセットが行なわれる。
【００４４】
この実施の形態では、第３のモードでは、回路遮断器３０のトリップが手動トリップボタン５３および電圧引外し装置１０によるものである場合は自動リセットが行われ、過電流引外しによるものである場合は自動リセットは行なわれない。したがって、回路遮断器３０がトリップされて自動リセットされているか否かに基づいて、トリップが過電流引外しによるものであるか、それ以外の原因によるものであるかを識別することができ、過電流引外しによって遮断器３０がトリップしたときは、過電流の原因を調べてから遮断器３０をリセットしＯＮすることができる。よって、過電流発生の再発を防止することができ、電気系統の安定した運営が可能になる。また、自動リセットのために警報スイッチを使用する必要がないので、遮断器３０内部から警報スイッチの配線を取り出して電動操作装置に接続する手間を省くことができ、また、警報スイッチを他の目的のために使用することができる。
【００４５】
なお、電圧引外し装置１０の代わりに、不足電圧引外しによって回路遮断器３０をトリップ状態にする不足電圧引外し装置を接続してもよい。この場合は、不足電圧引外し装置は不足電圧引外しを行なったことに応じて不足電圧引外し信号を制御回路６に与えるものとし、制御回路６はステップＳ３３において不足電圧引外し信号に基づいて不足電圧引外しが行なわれたか否かを判別するとよい。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４７】
【図１】この発明の一実施の形態による回路遮断器の電動操作装置の自動リセットに関連する部分を示すブロック図である。
【図２】図１に示した制御回路のＯＮ動作を示すフローチャートである。
【図３】図１に示した制御回路のＯＦＦ動作を示すフローチャートである。
【図４】図１に示した制御回路の自動リセット動作を示すフローチャートである。
【図５】従来の回路遮断器と電動操作装置の内部とを示す側面図である。
【図６】図５に示した電動操作装置の内部を示す平面図である。
【図７】図５に示した電動操作装置の外観を示す平面図である。
【符号の説明】
【００４８】
１，４０  電動操作装置、２  ギア位置検出器、３  操作板位置検出器、４  手動トリップ検出器、５  動作モード設定スイッチ、６  制御回路、７，８  駆動回路、１０  電圧引外し装置、１１  遠隔ＯＮスイッチ、１２  遠隔ＯＦＦスイッチ、３０  回路遮断器、３１  開閉操作ハンドル、４０  電動操作装置、４１  操作板、４２  投入ばね、４３〜４６  ギア、４７  電動機、４８，４９  ラッチレバー、５０  カム、５１  ラッチ釈放電磁石、５２  手動ＯＮボタン、５３  手動トリップボタン、５４  インジケータ、５５  手動蓄勢ハンドル。
【図１】
0004597791.tif 000002
【図２】
0004597791.tif 000003
【図３】
0004597791.tif 000004
【図４】
0004597791.tif 000005
【図５】
0004597791.tif 000006
【図６】
0004597791.tif 000007
【図７】
0004597791.tif 000008